【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
サーバーがユーザマシンのディスプレイ装置に表示するアプリケーションを実行できるようにするソフトウェアシステムであって、
前記ユーザマシンの単一オペレーティングレイヤアーキテクチャにある、ソフトウェアシステム。
【請求項２】
ユーザマシンのディスプレイ装置にＨＴＭＬメディアファイルを表示させるため前記ユーザマシンに一定圧縮率でデータをダウンロードするサーバーのシステムであって、
前記ＨＴＭＬメディアファイルが前記サーバーによってメディアフォーマットから前記サーバーと前記ユーザマシンとの間で取り決められたユニバーサルメディアフォーマットへ変換される、システム。
【請求項３】
ユーザマシンにサーバーで実行されるアプリケーションを動作させるサーバーのシステムであって、
前記アプリケーションが前記アプリケーションによるアクセスを当該システムの少なくとも一つの制限領域に限定するためアクセス制御が実施される保護環境で実行される、システム。
【請求項４】
前記アプリケーションが実行前に前記保護環境へコピーされる、請求項３に記載のシステム。
【請求項５】
ユーザマシンに装置ドライバのインストレーションを供給するサーバーのシステムであって、
前記インストレーションが前記ユーザマシン上の自動インストレーション用の命令と共に前記サーバーによって前記ユーザマシンへ送信され、
前記ユーザマシンによる受信後に、前記ユーザマシンが、前記インストレーション及び前記命令をアンパックし、これにより、装置ドライバファイルがシステムファイルロケーションへコピーされ、システム設定が更新され、前記命令を実行し、前記ユーザマシン上で前記インストレーションを立ち上げることができるように、前記命令が前記ユーザマシンへ送信される前に前記インストレーションと共にパックされる、システム。
【請求項６】
頻繁に使用される装置ドライバの方が前記サーバーのメモリに維持されるように、前記ユーザマシンで使用された装置ドライバインストレーションの記録が保持される、請求項５に記載のシステム。
【請求項７】
前記インストレーション内の新しいファイルが前記サーバーへコピーされる、請求項５又は６に記載のシステム。
【請求項８】
前記ユーザマシンが前記サーバーのディスプレイ装置としての機能を果たすディスプレイ装置を含む、請求項１記載のシステム。
【請求項９】
前記サーバーがＨＴＭＬファイルを前記ユーザマシンへ送信する前に前記ＨＴＭＬファイルのサイズを変更するＨＴＭＬサイズ変更サーバーを含む、請求項１記載のシステム。
【請求項１０】
前記ＨＴＭＬファイル内の画像が前記ディスプレイ装置に完全に表示することができるようにサイズ変更される、請求項９記載のシステム。
【請求項１１】
前記ディスプレイ装置にＨＴＭＬメディアファイルを表示させるため、前記サーバー上で前記ＨＴＭＬファイルを解析し、前記ＨＴＭＬファイルのコードを補正する、請求項９又は１０に記載のシステム。
【請求項１２】
複数のアプリケーションが前記サーバーで実行され、
前記複数のアプリケーションがそれぞれのネイティブオペレーティングシステムをスタートさせることなく、表示情報が前記ディスプレイ装置へストリームされるように、すべてのアプリケーションが単一オペレーティングシステムに基づいて前記サーバーで実行される、請求項１又は８に記載のシステム。
【請求項１３】
前記アプリケーションが前記アプリケーションによるアクセスを当該システムの少なくとも一つの制限領域に限定するためアクセス制御が実施される保護環境で実行される、請求項１、８又は１２に記載のシステム。
【請求項１４】
前記アプリケーションが実行前に前記保護環境へコピーされる、請求項１３に記載のシステム。
【請求項１５】
前記ユーザマシンで動作するプラットフォームを含み、
前記プラットフォームがオペレーティングシステムとして動作するプラットフォームエンジンを含む、
請求項１、２又は５に記載のシステム。
【請求項１６】
前記オペレーティングシステムが前記ユーザマシンの単一オペレーティングレイヤアーキテクチャにある、請求項１５に記載のシステム。
【請求項１７】
前記オペレーティングシステムが、セキュリティ、ドライバサポート、電源管理、ブートローダー及びファイルシステムに使われる、請求項１５に記載のシステム。
【請求項１８】
前記単一オペレーティングレイヤアーキテクチャが前記サーバーで使用される、請求項１に記載のシステム。
【請求項１９】
前記アプリケーションが前記アプリケーションによるアクセスを当該システムの少なくとも一つの制限領域に限定するためアクセス制御が実施される保護環境で実行される、請求項１、１２、１５〜１８のいずれか一項に記載のシステム。
【請求項２０】
前記アプリケーションが実行前に前記保護環境へコピーされる、請求項１９に記載のシステム。
【請求項２１】
複数のアプリケーションが前記サーバーで実行され、
前記複数のアプリケーションがそれぞれのネイティブオペレーティングシステムをスタートさせることなく、前記データが前記ディスプレイ装置へストリームされるように、すべてのアプリケーションが単一オペレーティングシステムに基づいて前記サーバーで実行される、請求項１、２、９〜１１のいずれか一項に記載のシステム。
【請求項２２】
前記単一オペレーティングレイヤアーキテクチャがソフトウェアインタフェースを提供するエンジンエクゼキュータを含む、請求項１、１６〜１８のいずれか一項に記載のシステム。
【請求項２３】
前記単一オペレーティングレイヤアーキテクチャがネイティブハードウェアサポートを提供するエンジンリスナを含む、請求項１、１６〜１８、２２のいずれか一項に記載のシステム。
【請求項２４】
前記単一オペレーティングレイヤアーキテクチャがソフトウェアレイヤを有さない、請求項１、１６〜１８、２２、２３のいずれか一項に記載のシステム。
【請求項２５】
アプリケーションプログラミングインタフェースがコマンドに翻訳される、請求項１、１６〜１８、２２〜２４のいずれか一項に記載のシステム。
【請求項２６】
前記ユーザマシンが前記サーバー上でアプリケーションを立ち上げ、実行、操作、モニター及び停止することができる、請求項１、１６〜１８、２２〜２６のいずれか一項に記載のシステム。
【請求項２７】
前記プラットフォームが予めプログラムされたハードウェアを認識し、許可されていないハードウェアと協働しない、請求項１、１６〜１８、２２〜２６のいずれか一項に記載のシステム。
【請求項２８】
サイズ変更が、幅タグ及び高さタグを有さない前記ファイル内のオブジェクトに幅タグ及び高さタグを付加し、前記オブジェクトが前記ディスプレイ装置の解像度条件に従って前記ディスプレイ装置に表示できるように前記幅タグ及び高さタグの値を補正することによる、請求項９〜１１、２１、２２のいずれか一項に記載のシステム。
【請求項２９】
前記幅タグの値が８００で除算され、要求された解像度の幅によって乗算される、請求項２８に記載のシステム。
【請求項３０】
前記高さタグの値が６００で除算され、要求された解像度の高さによって乗算される、請求項２８又は２９に記載のシステム。
【請求項３１】
前記ユニバーサルメディアフォーマットが予め決められる、請求項２、９〜１１、２１、２２のいずれか一項に記載のシステム。
【請求項３２】
前記ユニバーサルメディアフォーマットがストリーミングフォーマットであり、一定圧縮率を有し、
前記ユニバーサルメディアフォーマットへの変換が前記ＨＴＭＬメディアファイルの原データへの第１の復号化及び伸長による、請求項３１に記載のシステム。
【請求項３３】
プロセッサで実行可能であるソフトウェアアレンジメントであって、
請求項１〜３２のいずれか一項に記載のシステムの一つ以上を実行するように前記プロセッサを設定するコンピュータプログラムを備える、ソフトウェアアレンジメント。
【請求項３４】
請求項１〜３２のいずれか一項に記載のシステムの一つ以上を実行する対応した一つ以上の手段を備えるコンピュータシステム。